(57)【要約】【課題】逆Ｔ字目地部及びＴ字目地部を有する外壁目地においても、屋内側への水の浸入を防止し、外部へと排水する経路を形成することができる外壁目地の防水構造を提供する。【解決手段】  Ｔ字及び逆Ｔ字目地部を有する外壁目地の防水構造１であって、縦目地３からの水の浸入を防止する縦目地シーリング材５と、縦目地シーリング材５よりも屋内側に圧入される縦目地シーリングバックアップ材６と、横目地４からの水の浸入を防止する横目地シーリング材７と、横目地シーリング材７よりも屋内側に圧入される横目地シーリングバックアップ材８とを備え、縦目地シーリングバックアップ材６は、縦排水空間Ｓ１と横排水空間Ｓ２により排水経路を形成するように、横目地シーリングバックアップ材８に対して縦勝ちで配設され、横目地４には横目地防水材９が横目地シーリングバックアップ材８よりも屋内側に配置されている。【選択図】図２
2016166490.tif 000002
【特許請求の範囲】
【請求項１】
左右に隣接して設けられる外壁パネル間の縦目地の上端側が、当該左右に隣接して設けられる外壁パネルとその上方に設けられる外壁パネルとの間の横目地に突き当たることで形成されるＴ字目地部と、左右に隣接して設けられる外壁パネル間の縦目地の下端側が、当該左右に隣接して設けられる外壁パネルとその下方に設けられる外壁パネルとの間の横目地に突き当たることで形成される逆Ｔ字目地部とを有する外壁目地の防水構造であって、
左右に隣接して設けられる外壁パネル間の縦目地から屋内側への水の浸入を防止するために前記縦目地に充填される縦目地シーリング材と、
前記縦目地シーリング材よりも前記縦目地の前記屋内側に圧入され、前記縦目地シーリング材から浸入してくる水を防水するように前記縦目地を塞ぐと共に、下方へ流す縦排水空間を形成する縦目地止水部を有する縦目地シーリングバックアップ材と、
上下に隣接して設けられる外壁パネル間の横目地から前記屋内側への水の浸入を防止するために前記横目地に充填される横目地シーリング材と、
前記横目地シーリング材よりも前記横目地の前記屋内側に圧入され、前記横目地シーリング材から浸入してくる水を防水するように前記横目地を塞ぐと共に、水平方向へ流す横排水空間を形成する横目地止水部を有する横目地シーリングバックアップ材とを備え、
前記縦目地シーリングバックアップ材は、前記縦排水空間と前記横排水空間とが連通して排水経路を形成するように、前記横目地シーリングバックアップ材に対して縦勝ちで配設され、
前記横目地には、前記逆Ｔ字目地部において、前記縦目地シーリングバックアップ材と前記横目地シーリングバックアップ材の継ぎ目から前記屋内側へ水が浸入することを防止し、前記Ｔ字目地部において、前記横目地シーリングバックアップ材裏を通る水を前記縦目地シーリングバックアップ材に接するように流すための横目地防水材が前記横目地シーリングバックアップ材よりも前記屋内側に配置されていることを特徴とする外壁目地の防水構造。
【請求項２】
前記横目地シーリングバックアップ材は、前記横目地防水材に接触した状態で配設されていることを特徴とする請求項１に記載の外壁目地の防水構造。
【請求項３】
前記横目地防水材は、前記横目地シーリングバックアップ材よりも前記屋内側に圧入される水密材であることを特徴とする請求項１又は２に記載の外壁目地の防水構造。
【請求項４】
前記横目地防水材は、前記横目地シーリングバックアップ材よりも前記屋内側に位置し、屋外方向へ向って下り勾配の傾斜面が形成されている傾斜部を有していることを特徴とする請求項１又は２に記載の外壁目地の防水構造。
【請求項５】
前記縦目地シーリングバックアップ材及び前記横目地シーリングバックアップ材は、防火性を有することを特徴とする請求項１乃至４のいずれかに記載の外壁目地の防水構造。
【請求項６】
前記縦目地シーリングバックアップ材及び前記横目地シーリングバックアップ材は、同種の部材であることを特徴とする請求項１乃至５のいずれかに記載の外壁目地の防水構造。
【発明の詳細な説明】
【技術分野】
【０００１】
本発明は、外壁パネル間の目地から屋内側に水が浸入することを防止するための外壁目地の防水構造に関する。
【背景技術】
【０００２】
従来から、各階に異なる用途や大きさの部屋が配置される戸建て住宅等では、複数の外壁パネルが上下左右に並設されて形成される外壁の目地構造において、上下の縦目地が、横目地で分断され、一直線にならずに、上下で食い違いが生じるような破り目地状に形成される場合がある。従って、このような外壁目地では、縦目地と横目地が交差して形成される十字目地部だけでなく、縦目地の上端が横目地に突き当たって形成されるＴ字目地部や縦目地の下端が横目地に突き当たって形成される逆Ｔ字目地部を有している。
【０００３】
一方で、これまでに複数の互いに隣接する外壁パネル間に形成される目地から建物内部に雨水等が浸入することを防止するための様々な外壁目地の防水構造が提案されている（例えば、特許文献１参照）。特許文献１では、複数の外壁パネルを上下左右に並設した外壁の目地構造において、上下に隣接した外壁パネル間に形成される横目地部に、当該横目地部に沿って水を流すための樋状部を備えた横目地部材を設け、左右に隣接した外壁パネル間に形成される縦目地部に、排水路を形成するための縦目地部材を圧入し、縦目地部を塞ぐ縦目地部材の縦目地止水部を横目地部材の端面に圧接させることにより、縦目地止水部を横目地部材の端面に追従させて密着させ、横目地部材および縦目地部材の接続部分からの浸水を防止している。
【先行技術文献】
【特許文献】
【０００４】
【特許文献１】特開平１１−０６２０３４号公報
【発明の概要】
【発明が解決しようとする課題】
【０００５】
しかしながら、特許文献１のような外壁目地の防水構造では、逆Ｔ字目地部の場合には、縦目地部材裏面の排水路を通じて流れ落ちてくる水を横目地部材で受け切ることができずに、屋内側に水がこぼれ落ちる虞がある。
【０００６】
本発明は、上記のような課題に鑑みてなされたものであって、逆Ｔ字目地部及びＴ字目地部を有する外壁目地においても、屋内側への水の浸入を防止し、確実に外部へと排水する経路を形成することができる外壁目地の防水構造を提供することを目的とする。
【課題を解決するための手段】
【０００７】
上記目的を達成するために、本発明に係る外壁目地の防水構造は、左右に隣接して設けられる外壁パネル間の縦目地の上端側が、当該左右に隣接して設けられる外壁パネルとその上方に設けられる外壁パネルとの間の横目地に突き当たることで形成されるＴ字目地部と、左右に隣接して設けられる外壁パネル間の縦目地の下端側が、当該左右に隣接して設けられる外壁パネルとその下方に設けられる外壁パネルとの間の横目地に突き当たることで形成される逆Ｔ字目地部とを有する外壁目地の防水構造であって、左右に隣接して設けられる外壁パネル間の縦目地から屋内側への水の浸入を防止するために前記縦目地に充填される縦目地シーリング材と、前記縦目地シーリング材よりも前記縦目地の前記屋内側に圧入され、前記縦目地シーリング材から浸入してくる水を防水するように前記縦目地を塞ぐと共に、下方へ流す縦排水空間を形成する縦目地止水部を有する縦目地シーリングバックアップ材と、上下に隣接して設けられる外壁パネル間の横目地から前記屋内側への水の浸入を防止するために前記横目地に充填される横目地シーリング材と、前記横目地シーリング材よりも前記横目地の前記屋内側に圧入され、前記横目地シーリング材から浸入してくる水を防水するように前記横目地を塞ぐと共に、水平方向へ流す横排水空間を形成する横目地止水部を有する横目地シーリングバックアップ材とを備え、前記縦目地シーリングバックアップ材は、前記縦排水空間と前記横排水空間とが連通して排水経路を形成するように、前記横目地シーリングバックアップ材に対して縦勝ちで配設され、前記横目地には、前記逆Ｔ字目地部において、前記縦目地シーリングバックアップ材と前記横目地シーリングバックアップ材の継ぎ目から前記屋内側へ水が浸入することを防止し、前記Ｔ字目地部において、前記横目地シーリングバックアップ材裏を通る水を前記縦目地シーリングバックアップ材に接するように流すための横目地防水材が前記横目地シーリングバックアップ材よりも前記屋内側に配置されていることを特徴としている。
【０００８】
また、本発明に係る外壁目地の防水構造は、前記横目地シーリングバックアップ材が、前記横目地防水材に接触した状態で配設されていることを特徴としている。
【０００９】
また、本発明に係る外壁目地の防水構造は、前記横目地シーリングバックアップ材よりも前記屋内側に圧入される水密材であることを特徴としている。
【００１０】
また、本発明に係る外壁目地の防水構造は、前記横目地防水材が、前記横目地シーリングバックアップ材よりも前記屋内側に位置し、屋外方向へ向って下り勾配の傾斜面が形成されている傾斜部を有していることを特徴としている。
【００１１】
また、本発明に係る外壁目地の防水構造は、前記縦目地シーリングバックアップ材及び前記横目地シーリングバックアップ材が、防火性を有することを特徴としている。
【００１２】
また、本発明に係る外壁目地の防水構造は、前記縦目地シーリングバックアップ材及び前記横目地シーリングバックアップ材が、同種の部材であることを特徴としている。
【発明の効果】
【００１３】
本発明に係る外壁目地の防水構造によれば、縦目地には、縦目地に充填されている縦目地シーリング材よりも屋内側に縦目地を塞ぐと共に、下方へ流す縦排水空間を形成する縦目地止水部を有する縦目地シーリングバックアップ材が圧入され、横目地には、横目地に充填されている横目地シーリング材よりも屋内側に横目地を塞ぐと共に、水平方向へ流す横排水空間を形成する横目地止水部を有する横目地シーリングバックアップ材が圧入されている。そして、縦目地シーリングバックアップ材は、縦排水空間と横排水空間とが連通して排水経路を形成するように、横目地シーリングバックアップ材に対して縦勝ちで配設されている。従って、縦目地シーリング材又は横目地シーリング材に何らかの不具合等があり、縦目地シーリング材又は横目地シーリング材を雨水が通過してきた場合でも、屋内側への水の侵入を防止し、縦排水空間及び横排水空間の全ての領域を排水経路として利用して外部へと確実に排水することができる。
【００１４】
また、横目地には、横目地シーリングバックアップ材よりも屋内側に横目地防水材が配置されており、逆Ｔ字目地部においては、縦目地シーリングバックアップ材から流れて落ちてきた水が縦目地シーリングバックアップ材と横目地シーリングバックアップ材の継ぎ目から屋内側へ浸入することを防止し、Ｔ字目地部においては、横目地シーリングバックアップ材裏を通る水を縦目地シーリングバックアップ材に接するように流すことができる。これにより、逆Ｔ字目地部及びＴ字目地部を有する外壁目地においても、専用部材等を用いることなく、屋内側への水の浸入を防止し、確実に外部へと排水する経路を形成することができる。
【００１５】
また、本発明に係る外壁目地の防水構造によれば、横目地シーリングバックアップ材が、前記横目地防水材に接触した状態で配設されているので、縦目地シーリングバックアップ材から流れて落ちてきた水が縦目地シーリングバックアップ材と横目地シーリングバックアップ材の継ぎ目から屋内側へ浸入することをより確実に防止し、Ｔ字目地部においては、横目地シーリングバックアップ材裏を通る水をより確実に縦目地シーリングバックアップ材に接するように流すことができる。
【００１６】
また、本発明に係る外壁目地の防水構造によれば、横目地防水材は、横目地シーリングバックアップ材よりも屋内側に圧入される水密材であるので、縦目地シーリングバックアップ材から流れて落ちてきた水が縦目地シーリングバックアップ材と横目地シーリングバックアップ材の継ぎ目から屋内側へ浸入することをより確実に防止し、Ｔ字目地部においては、横目地シーリングバックアップ材裏を通る水をより確実に縦目地シーリングバックアップ材に接するように流すことができる。
【００１７】
また、本発明に係る外壁目地の防水構造によれば、横目地防水材は、横目地シーリングバックアップ材よりも屋内側に位置し、屋外方向へ向って下り勾配の傾斜面が形成されている傾斜部を有しているので、横目地シーリングバックアップ材裏を通る水を効率的に縦目地シーリングバックアップ材裏を伝わせて排水することができる。
【００１８】
また、本発明に係る外壁目地の防水構造によれば、縦目地シーリングバックアップ材及び前記横目地シーリングバックアップ材は、防火性を有するので、別途グラスウール等の防火のための目地充填材等を用いる必要がなく、目地を構成する部材を軽減し、施工コストを抑制することができる。
【００１９】
また、本発明に係る外壁目地の防水構造によれば、縦目地シーリングバックアップ材及び横目地シーリングバックアップ材は、同種の部材であるので、部材を共通化させることができ、施工の効率化を図ることができると共に、製造コストを抑制することができる。
【図面の簡単な説明】
【００２０】
【図１】本発明の第１の実施形態に係る外壁目地の防水構造の一例を示す概略正面図である。
【図２】図１におけるＡ−Ａ線断面図である。
【図３】図１におけるＢ−Ｂ線断面図である。
【図４】逆Ｔ字目地部における縦目地シーリングバックアップ材及び横目地シーリングバックアップ材の配設の仕方について説明するため概略模式図である。
【図５】Ｔ字目地部における縦目地シーリングバックアップ材及び横目地シーリングバックアップ材の配設の仕方について説明するため概略模式図である。
【図６】十字目地部における縦目地シーリングバックアップ材及び横目地シーリングバックアップ材の配設の仕方について説明するため概略模式図である。
【図７】横目地水密材の横目地への圧入の仕方の一例を示す概略水平断面図である。
【図８】本発明の第２の実施形態に係る外壁目地の防水構造の一例を示す要部水平断面図である。
【図９】本発明の第２の実施形態に係る外壁目地の防水構造の一例を示す要部垂直断面図である。
【発明を実施するための形態】
【００２１】
以下、本発明の第１の実施形態に係る外壁目地の防水構造について、図面を参照しつつ説明する。本発明に係る外壁目地の防水構造１は、図１に示すように、複数の外壁パネル２が上下左右に並設されて形成される縦目地３及び横目地４から屋内側へ雨水等が浸入することを防止するためのものである。この外壁目地は、図１に示すように、上下の縦目地３が、横目地４で分断され、一直線にならずに、上下で食い違いが生じるような破り目地状に形成される箇所を有しており、縦目地３の下端側が下方の横目地４に突き当たって形成される逆Ｔ字目地部Ｏと、縦目地３の上端側が上方の横目地４に突き当たって形成されるＴ字目地部Ｐと、縦目地３と横目地４が交差して形成される十字目地部Ｑとを有している。外壁目地の防水構造１では、縦目地３又は横目地４から浸入してきた雨水等を外部へと排水するために、図１に矢印で示すような排水経路を形成できるように構成されている。
【００２２】
外壁目地の防水構造１は、図２に示すように、左右に隣接して設けられる外壁パネル２間に形成される縦目地３には、縦目地３から屋内側への雨水等の浸入を防止するための一次防水材として機能する縦目地シーリング材５と、縦目地シーリング材５より屋内側に圧入され、縦目地シーリング材５をバックアップすると共に、縦目地シーリング材５の不具合等によって縦目地シーリング材５を通過してきた水が屋内側へと浸入することを防止するための二次防水材として機能する縦目地シーリングバックアップ材６とが設けられている。
【００２３】
また、外壁目地の防水構造１は、図３に示すように、上下に隣接して設けられる外壁パネル２間に形成される横目地４には、横目地４から屋内側への雨水等の浸入を防止するための一次防水材として機能する横目地シーリング材７と、横目地シーリング材７より屋内側に圧入され、横目地シーリング材７をバックアップすると共に、横目地シーリング材７の不具合等によって横目地シーリング材７を通過してきた水が屋内側へと浸入することを防止するための二次防水材として機能する横目地シーリングバックアップ材８と、横目地シーリングバックアップ材８よりも屋内側に配置される横目地防水材９とが設けられている。
【００２４】
縦目地シーリング材５は、図２に示すように、縦目地３に充填されることにより、縦目地３の防水性を確保している。この縦目地シーリング材５としては、例えば、ポリウレタン系、シリコン系、ポリサルファイド系等の従来公知の湿式のシーリング材を用いることができる。
【００２５】
縦目地シーリングバックアップ材６は、縦目地シーリング材５よりも縦目地３の屋内側に圧入される目地材であって、図２に示すように、縦目地３の目地幅よりも幅狭に形成され、縦目地シーリング材５をバックアップするバックアップ部６１と、バックアップ部６１の幅方向の中央から屋内方向に突設される連結部６２と、連結部６２の屋内側に固定され、縦目地シーリング材５から浸入してくる雨水Ｗ等を防水するように縦目地３を塞ぐと共に、下方へ流す縦排水空間Ｓ１を形成する縦目地止水部６３とを有している。
【００２６】
バックアップ部６１は、例えば、弾性を有する樹脂等によって扁平な帯状に形成されている。縦目地止水部６３は、図２に示すように、連結部６２の屋内側の端部に固定される耐火部６４と、耐火部６４の幅方向の中央から屋内方向に突設される支持部６５と、支持部６５の屋内側に固定される止水用ヒレ部６６とを有している。
【００２７】
耐火部６４は、防火性を有するものであって、連結部６２を介してバックアップ部６１に固定されており、縦目地３の目地幅よりも幅が広い帯状に形成されている。この耐火部６４は、弾性を有しており、幅方向の端部６４ａが雨水Ｗ等の屋外側への浸入を防ぐようにヒレ状に形成されており、内部には熱膨張防火材６７が収納されている。耐火部６４は、幅方向の両端側がそれぞれ縦目地３内で湾曲し、左右に隣接する外壁パネル２の小口面の間に挟まれた状態で固定される。
【００２８】
止水用ヒレ部６６は、支持部６５の屋内側の端部に固定され、支持部６５から幅方向（左右方向）の両側にそれぞれ延びており、縦目地３の目地幅よりも幅広に形成されている。また、この止水用ヒレ部６６は、雨水Ｗ等の屋外側への浸入を防ぐように、弾性を有する樹脂によってヒレ状に形成されている。止水用ヒレ部６６は、幅方向の両端側がそれぞれ縦目地３内で湾曲し、左右隣接する外壁パネル２の小口面の間に挟まれた状態で固定される。これにより、止水用ヒレ部６６と耐火部６４の間に縦排水空間Ｓ１が形成される。
【００２９】
横目地シーリング材７は、図３に示すように、横目地４に充填されることにより、横目地４の防水性を確保している。この横目地シーリング材７としては、縦目地シーリング材５と同様に、例えば、ポリウレタン系、シリコン系、ポリサルファイド系等の従来公知の湿式のシーリング材を用いることができる。
【００３０】
横目地シーリングバックアップ材８は、横目地シーリング材７よりも横目地４の屋内側に圧入される目地材であって、例えば、縦目地シーリングバックアップ材６と同種の部材を好適に用いることができ、図３に示すように、横目地４の目地幅よりも幅狭に形成され、横目地シーリング材７をバックアップするバックアップ部８１と、バックアップ部８１の幅方向の中央から屋内方向に突設される連結部８２と、連結部８２の屋内側に固定され、横目地シーリング材７から浸入してくる雨水Ｗ等を防水するように横目地４を塞ぐと共に、水平方向へ流す横排水空間Ｓ２を形成する横目地止水部８３とを有している。
【００３１】
バックアップ部８１は、例えば、弾性を有する樹脂等によって扁平な帯状に形成されている。横目地止水部８３は、図３に示すように、連結部８２の屋内側の端部に固定される耐火部８４と、耐火部８４の幅方向の中央から屋内方向に突設される支持部８５と、支持部８５の屋内側に固定される止水用ヒレ部８６とを有している。
【００３２】
耐火部８４は、防火性を有するものであって、連結部８２を介してバックアップ部８１に固定されており、横目地４の目地幅よりも幅が広い帯状に形成されている。この耐火部８４は、弾性を有しており、幅方向の端部８４ａが雨水Ｗ等の屋外側への浸入を防ぐようにヒレ状に形成されており、内部には熱膨張防火材８７が収納されている。耐火部８４は、幅方向の両端側がそれぞれ横目地４内で湾曲し、上下隣接する外壁パネル２間に挟まれた状態で固定される。
【００３３】
止水用ヒレ部８６は、支持部８５の屋内側の端部に固定され、支持部８５から幅方向（上下方向）の両側にそれぞれ延びており、横目地４の目地幅よりも幅広に形成されている。また、この止水用ヒレ部８６は、雨水Ｗ等の屋外側への浸入を防ぐように、弾性を有する樹脂によってヒレ状に形成されている。止水用ヒレ部８６は、幅方向の両端側がそれぞれ横目地４内で湾曲し、上下に隣接する外壁パネル２間に挟まれた状態で固定される。これにより、止水用ヒレ部８６と耐火部８４の間に横排水空間Ｓ２が形成される。また、縦目地シーリングバックアップ材６と横目地シーリングバックアップ材８とは、縦排水空間Ｓ１と横排水空間Ｓ２が連通して、図１に矢印で示すような排水経路を形成するために、図２〜６に示すように、それぞれ縦目地止水部６３と横目地止水部８３の縦横の位置が揃うように配設されると共に、縦目地シーリングバックアップ材６が、横目地シーリングバックアップ材８に対して縦勝ちになるように配設されている。
【００３４】
横目地防水材９は、逆Ｔ字目地部Ｏにおいて、縦目地シーリングバックアップ材６と横目地シーリングバックアップ材８の継ぎ目を通過して水が屋内側へ浸入することを防止し、Ｔ字目地部Ｐにおいて、横目地シーリングバックアップ材８の裏側の空間Ｓ３を通る水を縦目地シーリングバックアップ材６に接するように流すためのものであって、図２及び図３に示すように、横目地シーリングバックアップ材８よりも屋内側の横目地４に圧入されている。この横目地防水材９は、縦断面が略長方形状の水平方向に長尺な水密材であって、例えば、発泡ポリエチレン等によって構成されている。また、横目地防水材９は、その屋外側の面が横目地シーリングバックアップ材８の裏面に当接し、且つ、端部が縦目地３内に若干はみ出て位置するように配設されている。
【００３５】
以下、本発明に係る外壁目地の防水構造１の施工方法の一例について図面を参照しつつ説明する。外壁目地の防水構造１の横目地４側では、図２及び図３に示すように、まず横目地防水材９を屋外側から横目地４内に圧入する。この際、横目地防水材９は、必ずしも所定の適正位置まで圧入する必要はなく、所定の適正位置から数ｍｍ程度手前まで仮挿入した状態であっても良い。
【００３６】
その後、横目地シーリングバックアップ材８を屋外側から横目地４内の所定の適正位置まで圧入する。この際、横目地シーリングバックアップ材８と共に横目地防水材９も一緒に押し込むことによって、横目地防水材９を所定の適正位置まで圧入することができると共に、横目地シーリングバックアップ材８は、横目地防水材９の屋外側の面に当接した状態で横目地４内に配設される。尚、横目地防水材９同士の外壁パネル２中途の継ぎ目部は、図７に示すように、それぞれの端部側が若干余っている状態から押し込むことによって、隙間が生じないように連続させる。横目地防水材９同士の継ぎ目部の位置は、特に限定されるものではなく、目地の構造等に応じて適宜設定すれば良い。また、横目地シーリングバックアップ材８は、耐火部８４及び止水用ヒレ部８６のそれぞれ幅方向の両端側が横目地４内で湾曲し、上下に隣接する外壁パネル２間に挟まれた状態で固定される。そして、屋外側から縦目地シーリング材５を縦目地シーリングバックアップ材６が圧入されている縦目地３内に充填する。
【００３７】
一方、外壁目地の防水構造１の縦目地３側では、図２に示すように、まず縦目地シーリングバックアップ材６を屋外側から、縦目地止水部６３と横目地止水部８３の縦横の位置が揃う縦目地３内の所定の適正位置まで圧入することにより、縦排水空間Ｓ１と横排水空間Ｓ２とを連通させて排水経路を形成する。この際、縦目地シーリングバックアップ材６は、耐火部６４及び止水用ヒレ部６６のそれぞれ幅方向の両端側が縦目地３内で湾曲し、左右に隣接する外壁パネル２の小口面の間に挟まれた状態で固定される。また、縦目地シーリングバックアップ材６は、横目地シーリングバックアップ材８に対して縦勝ちになるように、逆Ｔ字目地部においては、図４に示すように、下端が横目地４を形成する下方側の外壁パネル２の上端面に当接した状態で配設され、Ｔ字目地部においては、図５に示すように、上端が横目地４を形成する上方側の外壁パネル２の下端面に当接した状態で配設される。そして、屋外側から縦目地シーリング材５を縦目地シーリングバックアップ材６が圧入されている縦目地３内に充填する。
【００３８】
このようにして構成される外壁目地の防水構造１では、一次防水材として機能する縦目地シーリング材５又は横目地シーリング材７に何らかの不具合等があり、縦目地シーリング材５又は横目地シーリング材７を雨水Ｗ等が通過してきた場合には、直奥にある縦目地シーリングバックアップ材６又は横目地シーリングバックアップ材８によって屋内側への雨水Ｗ等の浸入を防止し、縦排水空間Ｓ１及び横排水空間Ｓ２の全ての領域を排水経路として利用して、最下部の外壁パネル２の下端まで導水して外部へと排出する。
【００３９】
また、図１及び図４に示すような逆Ｔ字目地部Ｏにおいては、図２及び図３に示すように、横目地４に圧入されている横目地防水材９によって、縦目地シーリングバックアップ材６から流れて落ちて、縦目地シーリングバックアップ材６と横目地シーリングバックアップ材８の継ぎ目を通過してくる虞のある少量の水Ｗの屋内側への浸入を防止すると共に、横目地シーリングバックアップ材８の裏面と横目地防水材９の屋外側の面との隙間に形成される空間Ｓ３を排水空間として利用することによって縦目地シーリングバックアップ材６と横目地シーリングバックアップ材８の継ぎ目を通過してきた少量の水Ｗを水平方向へと導水する。
【００４０】
また、図１及び図５に示すようなＴ字目地部Ｐにおいては、横目地防水材９によって、横目地シーリングバックアップ材８の裏面の空間Ｓ３を通る水を縦目地シーリングバックアップ材６の裏面に接するように導水し、下方へと流すことができる。また、図１及び図６に示すような十字目地部Ｑにおいては、縦目地シーリング材５から流れて落ちてくる水Ｗは、そのまま下方へと流れ落ちる。そして、横目地シーリングバックアップ材８の横排水空間Ｓ２を通る水Ｗは、縦排水空間Ｓ１へと導水されて下方へと流れ落ち、横目地シーリングバックアップ材８の裏面の空間Ｓ３を通る水Ｗは、縦目地シーリングバックアップ材６の裏面に接するように導水され、下方へと流れ落ちる。
【００４１】
これにより、本発明に係る外壁目地の防水構造１では、逆Ｔ字目地部Ｏ及びＴ字目地部Ｐを有する外壁目地においても、専用部材等を用いることなく、屋内側への水の浸入を防止すると共に、図１に示すような排水経路を連続させて形成することができるので、確実に外部へと水を排水することができる。尚、このように図１に示すような排水経路を通って、最終的に下方へと流れ落ちた雨水等は、詳しくは図示しないが、例えば、最下部の外壁パネル２の下端側に設けられる従来公知の基礎水切等を介して外部へと排水されるようになっている。
【００４２】
次に、本発明の第２の実施形態に係る外壁目地の防水構造１ａについて図８及び図９を参照しつつ説明する。尚、第１の実施形態に係る外壁目地の防水構造１と同様の構成等については、同一の符号を付し、その詳細な説明については省略する。
【００４３】
外壁目地の防水構造１ａの外壁パネル２ａは、図８及び図９に示すように、矩形板状のサイディング材２１の裏面の周縁に枠材２２が固定されている。この枠材２２は、目地方向に開口している断面略コ字形の溝形鋼で形成されており、サイディング材２１の上下端面及び両側端面と面一になるように、サイディング材２１の裏面の周縁に当接する当接部２３から屋内側へ折り返し形成される折り返し片２４と、折り返し片２４のうちサイディング材２１の上端面と面一である折り返し片２４ａの屋内側先端から下方へ折り返し形成される取り付け片２５とを有している。
【００４４】
また、外壁目地の防水構造１ａの横目地防水材９ａは、図９に示すように、枠材２２の取り付け片２５に取り付けられる取り付け部９１と、横目地シーリングバックアップ材８ａよりも屋内側に位置し、横目地シーリングバックアップ材８ａ裏を通る水を縦目地シーリングバックアップ材６ａ裏を伝わせて流すための傾斜部９２とを有している。
【００４５】
取り付け部９１は、例えば、プラスティックや金属等の硬質材によって、内側の溝部の厚みが取り付け片２５の厚みと略同一になるように、断面略コ字形に形成されている。傾斜部９２は、例えば、弾性を有する樹脂によって形成されており、屋外方向へ向って下り勾配の傾斜面を有している。この傾斜部９２は、屋外方向に向かって傾斜面の高さが徐々に低くなるように、断面が屋内側に凸の弧状に湾曲した形状になっている。
【００４６】
横目地防水材９ａは、例えば、傾斜部９２を屋内側へ捲り上げた状態で、下から取り付け部９１の溝部を取り付け片２５に嵌め込み、傾斜部９２を元の状態に戻すことにより枠材２２に取り付けられる。また、横目地防水材９ａは、幅方向の長さが、外壁パネル２ａの幅と一致又は若干外壁パネル２ａよりはみ出して位置するように設計されており、図８に示すように、傾斜部９２の端部と外壁パネル２ａの端部が揃う又は若干外壁パネル２ａの端部よりはみ出して位置するように取り付けられる。傾斜部９２の屋外側先端部は、図９に示すように、横目地シーリングバックアップ材８ａの止水用ヒレ部８６ａによって、下側のサイディング材２１の上端面及び折り返し片２４ａに押し付けられた状態で固定される。これにより、横目地防水材９ａは、三次防水材としての防水性の向上を図ることができる。また、外壁目地の防水構造１ａでは、例えば、工場で外壁パネル２ａを製造する際に予め枠材２２の取り付け片２５に横目地防水材９ａを取り付けた状態にしておくことにより、現場での横目地防水材９ａの取り付け作業の手間を軽減することができる。
【００４７】
このように構成される外壁目地の防水構造１ａでは、図１及び図４に示すような逆Ｔ字目地部Ｏにおいては、横目地４に配置される横目地防水材９ａによって、縦目地シーリングバックアップ材６ａから流れて落ちて、縦目地シーリングバックアップ材６ａと横目地シーリングバックアップ材８ａの継ぎ目を通過してくる虞のある少量の水Ｗの屋内側への浸入を防止すると共に、横目地シーリングバックアップ材８ａの裏面と横目地防水材９ａの傾斜部９２との間に形成される空間Ｓ３を排水空間として利用することによって縦目地シーリングバックアップ材６ａと横目地シーリングバックアップ材８ａの継ぎ目を通過してきた少量の水Ｗを水平方向へと導水する。
【００４８】
また、外壁目地の防水構造１ａでは、図１及び図５に示すようなＴ字目地部Ｐにおいては、横目地防水材９ａによって、横目地シーリングバックアップ材８ａの裏面の空間を通る水を縦目地シーリングバックアップ材６ａの裏面に接するように導水し、下方へと流すことができる。これにより、外壁目地の防水構造１ａでは、逆Ｔ字目地部Ｏ及びＴ字目地部Ｐを有する外壁目地においても、屋内側への水の浸入を防止すると共に、図１に示すような排水経路を連続させて形成することができるので、確実に外部へと水を排水することができる。
【００４９】
また、外壁目地の防水構造１ａの縦目地シーリングバックアップ材６ａ及び横目地シーリングバックアップ材８ａのそれぞれの止水用ヒレ部６６ａ及び止水用ヒレ部８６ａは、図８及び図９に示すように、それぞれ断面が二又形状になるように形成されている。この止水用ヒレ部６６ａは、幅方向の両端側がそれぞれ縦目地３内で湾曲し、左右隣接する外壁パネル２のサイディング材２１の小口面の間及び枠材２２の折り返し片２４の間に挟まれた状態で固定される。また、止水用ヒレ部８６ａは、幅方向の両端側がそれぞれ横目地４内で湾曲し、上下隣接する外壁パネル２のサイディング材２１の間及び枠材２２の折り返し片２４の間に挟まれた状態で固定される。このように外壁目地の防水構造１ａでは、枠材２２の折り返し片２４も用いて、二又形状の止水用ヒレ部６６ａ及び止水用ヒレ部８６ａをそれぞれ縦目地３及び横目地４に固定しているので、サイディング材２１の厚みが薄い場合でも安定的に縦目地シーリングバックアップ材６ａ及び横目地シーリングバックアップ材８ａをそれぞれ縦目地３及び横目地４に配設することができる。
【００５０】
尚、本発明の実施の形態は上述の形態に限ることなく、本発明の思想の範囲を逸脱しない範囲で適宜変更することができる。
【符号の説明】
【００５１】
１、１ａ    外壁目地の防水構造
２、２ａ    外壁パネル
２１        サイディング材
２２        枠材
２３        当接部
２４        折り返し片
２５        取り付け片
３          縦目地
４          横目地
５          縦目地シーリング材
６          縦目地シーリングバックアップ材
６３        縦目地止水部
７          横目地シーリング材
７３        横目地止水部
８          横目地シーリングバックアップ材
９、９ａ    横目地防水材
９１        取り付け部
９２        傾斜部
Ｏ          十字目地部
Ｐ          Ｔ字目地部
Ｑ          逆Ｔ字目地部
Ｓ１        縦排水空間
Ｓ２、Ｓ３  横排水空間
Ｗ          水（雨水）
【図１】
2016166490.tif 000003
【図２】
2016166490.tif 000004
【図３】
2016166490.tif 000005
【図４】
2016166490.tif 000006
【図５】
2016166490.tif 000007
【図６】
2016166490.tif 000008
【図７】
2016166490.tif 000009
【図８】
2016166490.tif 000010
【図９】
2016166490.tif 000011